(57)【要約】【課題】チャットサーバを用いることなく、複数の無線送受信装置間でチャットを行えるようにした無線送受信システムを提供する。【解決手段】本発明は、複数の無線送受信装置間で表示データの送受信を行う無線送受信システムであって、操作者の操作に従って複数の無線送受信装置のいずれか、または全てを選択する選択コードと、表示データと、を入力し、これら２つのデータを含むパケットデータを生成し、生成されたパケットデータを全ての無線送受信装置に送信し、パケットデータを受信した際に、選択コードからパケットデータが自局宛か否かを判断し、自局宛と判断される際にパケットデータに含まれる表示データを表示部１２に表示させチャットを行う無線送受信システムを提供する。【選択図】      図１
2008098761.tif 000002
【特許請求の範囲】
【請求項１】
複数の無線送受信装置間で表示データの送受信を行う無線送受信システムであって、
操作者の操作に従って複数の前記無線送受信装置のいずれか、または全てを選択する選択コードと、前記表示データと、を入力し、
入力した前記選択コードと前記表示データと、を含むパケットデータを生成し、
生成された前記パケットデータを全ての前記無線送受信装置に送信し、
他局から送信された前記パケットデータを受信した際に、前記パケットデータに含まれている前記選択コードから前記パケットデータが自局宛か否かを判断し、
前記他局から送信された前記パケットデータが自局宛と判断される際に前記パケットデータに含まれる前記表示データを表示部に表示させることを特徴とする無線送受信システム。
【発明の詳細な説明】
【技術分野】
【０００１】
本発明は、チャット機能を有する無線送受信システムに関する。
【背景技術】
【０００２】
近年、インターネットの普及に伴い、リアルタイムで複数のユーザ間で文字ベースの会話をするチャットが提供されている。
【０００３】
チャットを利用するユーザは、使用する例えばＰＣをインターネットを通じてチャットサーバに接続させ、このサーバとインターネットを通じて接続している他のＰＣを使用するユーザと会話することができる。
【０００４】
このように一般的なチャットに関するシステムが非特許文献１に開示されている。
【非特許文献１】総務省、国民のための情報セキュリティサイト、“基礎知識  電子メールの仕組み”、［ｏｎｌｉｎｅ］、平成１７年７月２０日、［平成１８年５月２６日検索］、インターネット＜ＵＲＬ：http://www.soumu.go.jp/joho_tsusin/security/kiso/k01_mail.html＞
【発明の開示】
【発明が解決しようとする課題】
【０００５】
上記したチャット機能をインターネット網を使用すること無く複数の無線送受信装置間で実現する場合、無線送受信装置のいずれかにチャットサーバを接続し、チャットサーバを介して各無線送受信装置間で文字データを送受することが考えられる。
【０００６】
しかしながら、無線送受信装置にチャットサーバを接続することによってチャット機能を実現した場合、その無線送受信装置が網から抜け出た際に、チャットが行えなくなってしまう。
【０００７】
従ってこの発明の目的は、上記した不都合を解決し、チャットサーバを用いること無く、複数の無線送受信装置間でチャットを行えるようにする無線送受信システムを提供することにある。
【課題を解決するための手段】
【０００８】
本発明は目的を達成するために、複数の無線送受信装置間で表示データの送受信を行う無線送受信システムであって、操作者の操作に従って複数の無線送受信装置のいずれか、または全てを選択する選択コードと、表示データと、を入力し、入力した選択コードと表示データと、を含むパケットデータを生成し、生成されたパケットデータを全ての無線送受信装置に送信し、他局から送信されたパケットデータを受信した際に、パケットデータに含まれている選択コードからパケットデータが自局宛か否かを判断し、他局から送信されたパケットデータが自局宛と判断される際にパケットデータに含まれる表示データを表示部に表示させることを特徴とする無線送受信システムを提供する。
【発明の効果】
【０００９】
本発明によれば、サーバを用いることなく複数の無線送受信装置間でチャットを行うことが可能な無線送受信システムを提供することができる。
【発明を実施するための最良の形態】
【００１０】
以下、図面を参照して本発明の実施形態について詳細に説明する。図１乃至図８を参照して第１の実施形態について説明する。図１は、本実施形態におけるチャット機能を有する無線送受信システムの概略構成図である。図２は、チャット機能を有する無線送受信装置の各主要部における概略構成図である。図３は、ＭＰＵ内部の構成図である。図４は、選択コード、加入局数、応答番号の関係を示す図である。図５は、複数の無線送受信装置間にてチャットをする際のパケットの送受信動作を示す図である。図６は、操作制御部における表示部の概略図である。図７は、複数のパケットを受信した無線送受信装置のパケットの処理について説明するフローチャートである。図８は、パケットを受信した無線送受信装置からのチェック結果に対する処理について説明するフローチャートである。なお本実施形態においては、３つの無線送受信装置を使用して説明しているが、この数は限定されることはなく、複数であれば良い。
【００１１】
図１に示すようにチャット機能を有する各無線送受信装置は、主要部として、チャットを行う際の文字や画像等の情報（表示データ）を入力、表示するＰＣである操作制御部１０、無線信号を情報信号に、情報信号を無線信号に変換するモデムである変復調部３０、無線信号を送受信する無線機である送受信部５０から構成されている。例えば無線送受信装置１は、操作制御部１０によって入力された情報を変復調部３０によって変調処理し、変調処理された無線信号を送受信部５０から全ての無線送受信装置（本実施形態の場合は無線送受信装置２，３）に送信する。
【００１２】
無線送受信装置２，３は、送受信部５０にて受信した無線信号を変復調部３０によって復調処理し、復調処理された情報を操作制御部１０に表示させる。無線送受信装置２，３から無線送受信装置１に情報を送信する場合も同様である。本実施形態はこのように情報を送受信することでサーバを介さずにチャットを行っている。尚、各無線送受信装置１，２，３は、例えば船舶などの移動体に搭載される。
【００１３】
次に図２を参照して、上述した各主要部について詳細に説明する。
【００１４】
操作制御部１０には、文字を入力する例えばキーボードである入力部１１と、文字や画像といった情報を表示する例えばモニタである表示部１２が設けられている。入力部１１には、変復調部３０を介して送受信部５０によって相手局に送信される文字が入力される。表示部１２には、送受信部５０を介して変復調部３０によって復調処理された相手局から送信された情報が表示される。
【００１５】
操作制御部１０には、ＷＥＢカメラ７０が接続している。ＷＥＢカメラ７０は、静止画、動画といった画像を撮影する。撮影された画像は、上述したように送信することができる。
【００１６】
表示部１２には、図６に示すように、送受信した文字を表示させる送受信文字表示部１３と、相手局のＷＥＢカメラ７０が撮影した静止画、動画といった画像を表示させる画像表示部１４と、現在の通信状態を表示する通信状態表示部１５、送信ボタン１６、文字表示部１７が設けられている。文字表示部１７には、入力部１１によって入力された文字（詳細には、相手局へ送信するメッセージ（文書））が表示される。この文字は、送信ボタン１６を押すことでＭＰＵ３１を介して変復調部３０に送信される。
【００１７】
なお入力部１１によって入力された文字データやＷＥＢカメラ７０によって撮影された画像データには、選択コード（宛先）が付加される。選択コードは、情報を受信させる相手局によって異なる。例えば無線送受信装置１の入力部１１によって入力された情報は、全ての無線送受信装置（本実施形態の場合は無線送受信装置２，３）に向けて送信される。情報を受信した無線送受信装置２，３は、情報に付加されている選択コードに基づいて送信対象として自局が含まれているか否かを判断する。選択コードに自局が含まれている場合、無線送受信装置２，３は、受信した情報を送受信文字表示部１３や画像表示部１４に表示させる。自局が含まれていない場合は、この情報を送受信文字表示部１３や画像表示部１４に表示させない（詳細については後述する）。
【００１８】
変復調部３０には、ＭＰＵ３１と、ＲＯＭ３２と、ＲＡＭ３３と、変調部３４と、復調部３５が設けられている。  
ＲＯＭ３２には、変調部３４、復調部３５を制御するプログラムが格納されている。ＲＡＭ３３には、ＭＰＵ３１を制御する制御データやＭＰＵ３１が各種演算を行う際の演算結果が格納され、また送受信する情報が一時的に記憶されている。ＭＰＵ３１は、操作制御部１０との情報の送受信と、ＲＯＭ３２に格納されているプログラムによって変調部３４、復調部３５を制御する。変調部３４は、入力部１１からＭＰＵ３１を介して入力された情報信号を無線信号に変調する変調処理を行い、後述する送信部５１に出力する。復調部３５は、後述する受信部５２から受信した無線信号を情報信号に復調する復調処理を行い、ＭＰＵ３１を介して表示部１２に出力する。
【００１９】
本実施形態は、文字を送受信する際に使用する無線回線（例えばＨＦ）と画像を送受信する際に使用する無線回線（例えばＵＨＦ）の２回線を併用して無線通信を行う。なお使用する無線周波数帯は、例示に過ぎずＨＦやＵＨＦの他にＶＨＦ帯等を使用しても良い。
【００２０】
送受信部５０には、無線通信によって無線信号を送信する送信部５１と、無線通信によって無線信号を受信する受信部５２が設けられている。
【００２１】
次に図３を参照してＭＰＵの構成について詳細に説明する。ここでは説明を簡略化するためにパケットを送信する無線送受信装置を無線送受信装置１、無線送受信装置１が送信したパケットを受信する無線送受信装置を無線送受信装置２，３とする。
【００２２】
ＭＰＵ３１には、パケットデータ生成部４１、記憶部４２、送信部４３、チェック結果判断部４４、宛先判断部４５、ＣＲＣチェック部４６、チェック結果送信部４７、シリアルデータ生成部４８が設けられている。
【００２３】
パケットデータ生成部４１は、入力部１１、ＷＥＢカメラ７０から入力された情報を分割して複数のパケット（パケットデータ）を生成し、各パケットに対してＣＲＣコードを付加する。
【００２４】
記憶部４２は、パケットデータ生成部４１によって生成された複数のパケットデータを一時的に記憶する。
【００２５】
送信部４３は、記憶部４２に記憶されている複数のパケットを変調部３４に送信する。これらパケットは、変調部３４によって変調処理された後、送信部５１によって全ての相手局（無線送受信装置２，３）にブロック単位で送信される。即ちパケットデータは、放送形式で送信される。無線送受信装置２，３は、受信部５２にて受信した無線信号を復調部３５で復調させる。
【００２６】
このように入力部１１に入力された文字が、パケットデータ生成部４１、記憶部４２、送信部４３、変調部３４を介して送信部５１によって無線送受信装置２，３に送信される動作は、上述したように図６に示す送信ボタン１６を押すことで実行される。
【００２７】
無線送受信装置２，３がパケットを受信した際に、無線送受信装置２，３の宛先判断部４５は、復調処理されたパケットに付加されている選択コードに基づいて自局が含まれているか否かを判断する。
【００２８】
無線送受信装置２，３の宛先判断部４５が選択コードに基づいて自局が含まれていることを判断した場合、ＣＲＣチェック部４６は、受信したパケットデータに誤りがないかをＣＲＣコードを参照してＣＲＣチェックを行う。
【００２９】
チェック結果送信部４７は、ＣＲＣチェック部４６によって行われたＣＲＣチェック結果を、この情報を送信した無線送受信装置１に向けて、無線送受信装置２，３の変調部３４、送信部５１を介して送信する。詳細にはこのチェック結果は、無線送受信装置１の受信部５２、復調部３５を介してチェック結果判断部４４に入力される。
【００３０】
シリアルデータ生成部４８は、受信した誤りのないパケットからＣＲＣコードを削除し、シリアルデータを生成する。生成されたシリアルデータは、表示部１２（図６に示す送受信文字表示部１３や画像表示部１４）に表示される。
【００３１】
無線送受信装置１のチェック結果判断部４４は、無線送受信装置２，３のチェック結果送信部４７から送信されたチェック結果に基づいて送信部４３に再送指示を、記憶部４２に消去指示を、表示部１２に表示の指示を送信する。
【００３２】
詳細にはチェック結果判断部４４は、相手局のチェック結果送信部４７から送信されたチェック結果を基に、誤りのあったパケットの再送指示を送信部４３に出力する。送信部４３は、チェック結果判断部４４からの指示に従い記憶部４２から再送するパケットを読みだし、所定回数（例えば３回）を限度に相手局に再送する。
【００３３】
またチェック結果判断部４４は、受信したチェック結果から相手局が１ブロック分全てのパケットを正常に受信できたと判断した場合、記憶部４２に一時的に記憶されているパケット（１ブロック分）を消去する指示を出力する。この指示を入力された記憶部４２は、記憶しているパケットを消去する。
【００３４】
なおチェック結果判断部４４は、受信したチェック結果に基づいて伝送路の状態を判断して、通信状態表示部１５に（例えば、「ＯＫ」、「ＮＧ」、といったような）メッセージを表示させる。
【００３５】
なお操作制御部１０とＭＰＵ３１との間には、暗号器が設けられている。この暗号器は、第３者への情報の漏洩を防止するために操作制御部１０とＭＰＵ３１との間で送受信される情報の暗号化と解読を行う。
【００３６】
なお無線送受信装置２から無線送受信装置１，３に、無線送受信装置３から無線送受信装置１，２に情報を送信する際の構成も、上述と同様であるため説明は省略する。
【００３７】
次に本実施形態における自局（無線送受信装置１）と複数の相手局（無線送受信装置２，３）との間でパケットを送受信する際の概略動作について図４乃至図６を参照して説明する。
【００３８】
図４に示す各選択コードは、情報を受信する無線送受信装置の組み合わせを示している。加入局数とは、情報を受信する無線送受信装置の数である。応答番号は、情報を受信する無線送受信装置と応答タイミング（チェック結果の送信順序）を示している。例えば選択コードＡＢＣ１は、無線送受信装置１が情報を受信し、応答タイミング１でチェック結果を送信することを示している（加入局数は、無線送受信装置１のみが情報を受信するため１となる）。例えば選択コードＤＥＦ４は、無線送受信装置２，３が情報を受信し、且つチェック結果の送信は、図５に示すように無線送受信装置２がタイミング１で無線送受信装置３がタイミング２で応答することを表している。（加入局数は、無線送受信装置２，３が情報を受信するため２となる）。これにより本実施形態は、チェック結果を受信する無線送受信装置において、情報の衝突を防止することができる。尚、本実施形態では、３つの無線送受信装置を使用して説明しているため、応答番号が２つである。しかしこれに限定することはなく使用する無線送受信装置の数に応じて選択コード、及び応答番号の数も適宜変化する。
【００３９】
例えば無線送受信装置１から無線送受信装置２，３に情報を送信する場合、操作者は、図４に示された複数の選択コードから選択コードＤＥＦ４を選択する。無線送受信装置１は、パケット（具体的には複数のパケットの固まりからなるブロックデータ）にこの選択コードを付加して送信する。無線送受信装置２，３は、パケットを受信した際に、選択コードＤＥＦ４に基づいて自局が含まれているか否かを判断する。選択コードＤＥＦ４は、上述したように無線送受信装置２，３が情報を受信することを示している。よって無線送受信装置２，３は、自局宛であると判断し、パケットを受信する。
【００４０】
また例えば無線送受信装置２から無線送受信装置１に情報を送信する場合、図４に示された複数の選択コードから選択コードＡＢＣ１を選択し、パケットにこの選択コードを付加して送信する。無線送受信装置１，３は、パケットを受信した際に、選択コードＡＢＣ１に基づいて自局が含まれているか否かを判断する。選択コードＡＢＣ１は、上述したように無線送受信装置１が情報を受信することを示している。よって無線送受信装置１は、自局宛であると判断し、パケットを受信する。また無線送受信装置３は、自局宛ではないと判断し、受信したパケットを破棄する。
【００４１】
次に本実施形態における複数のパケットを受信した無線送受信装置のパケットの処理について図７を参照して詳細に説明する。
【００４２】
上述したように無線送受信装置１が送信した複数のパケットを受信した例えば無線送受信装置２は、宛先判断部４５にてパケット（ブロックデータ）に付加されている選択コードに基づいて自局が含まれているか否かを判断する（Ｓｔｅｐ１１）。
【００４３】
宛先判断部４５が受信した各パケットが自局宛であると判断した場合（Ｓｔｅｐ１１：Ｙｅｓ）、ＣＲＣチェック部４６は、パケットに対して付加されているＣＲＣコードを参照してＣＲＣチェックを行う（Ｓｔｅｐ１２）。チェック結果送信部４７は、無線送受信装置１のチェック結果判断部４４にこの判断結果を送信する（Ｓｔｅｐ１３）（詳細については図８にて説明する）。この判断結果に基づいて無線送受信装置１のチェック結果判断部４４は、記憶部４２、送信部４３、表示部１２に上述したような指示を出力する。
【００４４】
シリアルデータ生成部４８は、受信した誤りのないパケットからＣＲＣコードを削除し、シリアルデータを生成する（Ｓｔｅｐ１４）。送受信文字表示部１３や画像表示部１４には、生成されたシリアルデータ（文字、画像）が表示される（Ｓｔｅｐ１５）。
【００４５】
なお宛先判断部４５が宛先に自局が含まれていないと判断した場合（Ｓｔｅｐ１１：Ｎｏ）、Ｓｔｅｐ１２乃至Ｓｔｅｐ１５を省略し、終了する。
【００４６】
次に本実施形態におけるパケットを受信した無線送受信装置からのチェック結果の処理について図８を参照して詳細に説明する。以下の処理は、無線送受信装置２からのチェック結果を受ける無線送受信装置１のＭＰＵ３１で実行される処理である。
【００４７】
無線送受信装置１は、送信したパケットに付加した選択コードに基づき無線送受信装置２からのチェック結果を受信するタイミングか否かを判断する（Ｓｔｅｐ２１）。
【００４８】
無線送受信装置１が、例えば無線送受信装置２からのチェック結果を受信するタイミングであると判断すれば（Ｓｔｅｐ２１：Ｙｅｓ）、無線送受信装置２のチェック結果送信部４７からのチェック結果を受信できたか否かを判断する（Ｓｔｅｐ２２）。
【００４９】
その際に、無線送受信装置２との電波状態が悪かったり、無線送受信装置２の電源が落ちていたり、無線送受信装置２が無線信号を受信できるエリアにいなかったことにより、相手局からのチェック結果を受信できなかった場合（Ｓｔｅｐ２２：Ｎｏ）、通信状態表示部１５には、「伝送路状態ＮＧ」と表示される（Ｓｔｅｐ２３）。
【００５０】
相手局からのチェック結果を受信できた場合（Ｓｔｅｐ２２：Ｙｅｓ）、無線送受信装置２からのチェック結果がＯＫか否かを判断する（Ｓｔｅｐ２４）。尚、チェック結果がＯＫか否かとは、無線送受信装置１から送信された１ブロック分全てのパケットを正常に受信できたか否かのことである。
【００５１】
無線送受信装置２からのチェック結果がＯＫならば（Ｓｔｅｐ２４：Ｙｅｓ）、通信状態表示部１５には、「伝送路状態ＯＫ」と表示される（Ｓｔｅｐ２５）。
【００５２】
チェック結果がＯＫでなければ（Ｓｔｅｐ２４：Ｎｏ）、同一ブロックに含まれるパケットの再送を所定回数（例えば３回）行ったか否かを判断する（Ｓｔｅｐ２６）。
【００５３】
再送信回数が所定回数に達した場合（Ｓｔｅｐ２６：Ｙｅｓ）、通信状態表示部１５には、「伝送路状態ＮＧ」と表示される（Ｓｔｅｐ２７）。
【００５４】
再送信回数が所定回数に達していなければ（Ｓｔｅｐ２６：Ｎｏ）、無線送受信装置２から送信されたチェック結果から誤りのあるパケットのナンバーを取得する（Ｓｔｅｐ２８）。そして、該当するパケットを再送する（Ｓｔｅｐ２９）。
【００５５】
このように本実施形態は、操作者の操作に従って複数の無線送受信装置のいずれか、または全てを選択する選択コードと、表示データと、を入力し、これらを含むパケットデータを生成し、このパケットデータを全ての無線送受信装置に送信し、パケットデータを受信した際に、パケットデータに含まれている選択コードからパケットデータが自局宛か否かを判断し、他局から送信されたパケットデータが自局宛と判断される際にパケットデータに含まれる表示データを表示部に表示させる。これにより本実施形態は、チャットサーバを用いること無く、複数の無線送受信装置間でチャットを行えることができる。
【００５６】
また、チャットをする際に、メッセージを送信する側（無線送受信装置１）が、受信側（無線送受信装置２，３）からのメッセージを受信したか否かのチェック結果を受けて、再送をするか否かを判断する。よって本実施形態は、情報をより確実に送信することができる。
【００５７】
なお、送受信文字表示部１３に表示される文字は、無線送受信装置１，２，３（送信文字と受信文字）ごとに色分けすることで、ユーザに見やすい表示とすることができる。
【００５８】
また本実施形態は、文字を送受信する際に使用するＨＦと画像を送受信する際に使用するＵＨＦの２回線を併用して無線通信を行ったが、これに限定されることはない。例えば画像、または文字のどちらか一方のみを送受信するのであれば、１回線のみの使用でよい。また、文字と画像の両方を１つの回線で送受信しても良い。
【００５９】
また本実施形態は、画像表示部１４を１つのみ設けたがこの数に限定する必要はなく、無線送受信装置の数だけ設けても良く、または１つの画面をチャットをする無線送受信装置の数に分割し、それぞれに表示させても良い。通信状態表示部１５も同様である。
【００６０】
また本実施形態は、受信データをリアルタイムに表示するチャットを行うようにしたが受信データを一旦、操作制御部１０に保存することによりメールのような使用形態も可能である。
【図面の簡単な説明】
【００６１】
【図１】本実施形態におけるチャット機能を有する無線送受信システムの概略構成図である。
【図２】チャット機能を有する無線送受信装置の各主要部における概略構成図である。
【図３】ＭＰＵ内部の構成図である。
【図４】選択コード、加入局数、応答番号の関係を示す図である。
【図５】複数の無線送受信装置間にてチャットをする際のパケットの送受信動作を示す図である。
【図６】操作制御部における表示部の概略図である。
【図７】複数のパケットを受信した無線送受信装置のパケットの処理について説明するフローチャートである。
【図８】パケットを受信した無線送受信装置からのチェック結果に対する処理について説明するフローチャートである。
【符号の説明】
【００６２】
１，２，３…無線送受信装置、１０…操作制御部、１１…入力部、１２…表示部、１３…送受信文字表示部、１４…画像表示部、１５…通信状態表示部、１６…送信ボタン、１７…文字表示部、３０…変復調部、３１…ＭＰＵ、３２…ＲＯＭ、３３…ＲＡＭ、３４…変調部、３５…復調部、４１…パケットデータ生成部、４２…記憶部、４３…送信部、４４…チェック結果判断部、４５…宛先判断部、４６…ＣＲＣチェック部、４７…チェック結果送信部、４８…シリアルデータ生成部、５０…送受信部、５１…送信部、５２…受信部、７０…ＷＥＢカメラ。
【図１】
2008098761.tif 000003
【図２】
2008098761.tif 000004
【図３】
2008098761.tif 000005
【図４】
2008098761.tif 000006
【図５】
2008098761.tif 000007
【図６】
2008098761.tif 000008
【図７】
2008098761.tif 000009
【図８】
2008098761.tif 000010